(57)【特許請求の範囲】
【請求項１】
外側カッタと、その外側カッタの内面側に配設された内側カッタとから成る少なくとも一つのひげそりヘッドを有し、上記外側カッタが、皮膚係合面部（３０）と、上記皮膚係合面部の少なくとも一側部に設けられ、その皮膚係合面部（３０）に対して所定の角度を有する少なくとも一つの側壁部（２９、３１）とにより形成されており、上記皮膚係合面部（３０）に、複数のスロット（２３）及びそのスロット間に設けられたブリッジ部材（２５、２６、２８）が形成されるとともに、前記側壁部（２９、３１）に対して自由に突出されている端部を有する毛の送り装置（Ｅ）が設けられている乾式ひげそり装置において、前記毛の送り装置（Ｅ）は、外側カッタの皮膚係合面部に形成されている選択されたブリッジ部材（２５、２６）の延長部によって形成され、前記自由に突出されている端部が前記側壁部（２９、３１）の外側の輪郭を超えて突出されており、皮膚係合面部（３０）と同一平面上にあることを特徴とする乾式ひげそり装置。
【請求項２】
前記毛の送り装置を形成する目的のための皮膚係合面部（３０）の全てのブリッジ部材は、皮膚係合面部に対して所定の角度を有するようにされた側壁部（２９、３１）の輪郭を超えて突出するように延びていることを特徴とする請求項１に記載の乾式ひげそり装置。
【請求項３】
前記皮膚係合面部（３０）の選択されたブリッジ部材は、皮膚係合面部及び側壁部の構成部分から形成され、短いブリッジ部材（２８）の間に設けられている長いブリッジ部材（２５、２６）が、少なくとも１つの側壁部（２９、３１）に対して突出した関係で構成されている自由端部を有していることを特徴とする請求項１に記載の乾式ひげそり装置。
【請求項４】
突出した毛の送り装置（Ｅ）によって増加した外側カッタの皮膚係合面は平坦な形状であることを特徴とする請求項１乃至３のいずれか１項に記載の乾式ひげそり装置。
【請求項５】
皮膚に接触するブリッジ部材（２５、２６、２７）の少なくとも縁部並びに毛の送り装置（Ｅ）の縁部は丸い形状であることを特徴とする請求項１乃至４のいずれか１項に記載の乾式ひげそり装置。
【請求項６】
前記外側カッタは、Ｕ字状の構造であり、皮膚係合面部（３０）のブリッジ部材（２５，２６）の構成部分として毛の送り装置（Ｅ）は、毛の送り装置に対して所定の角度で配置されている少なくとも１つの側壁部（２９、３１）の外側の輪郭に対して突出するように設けられていることを特徴とする請求項１乃至５のいずれか１項に記載の乾式ひげそり装置。
【請求項７】
前記外側カッタは、カップ形状の構造であり、皮膚係合面部（３０）のブリッジ部材（２５、２６）の構成部分としての毛の送り装置（Ｅ）は、環状皮膚係合面部及びまたは環状皮膚係合面部（２９）の外側輪郭及びまたは少なくとも１つの側壁部（２９、３１）の外側の輪郭に対して突出するように設けられていることを特徴とする請求項１乃至５のいずれか１項に記載の乾式ひげそり装置。
【請求項８】
スロット（２３、２４）によって形成されるブリッジ部材（２５、２６）は、ブリッジ部材（２７）を接続することによって相互に接続されていることを特徴とする請求項１乃至７のいずれか１項に記載の乾式ひげそり装置。
【請求項９】
前記毛の送り装置（Ｅ）は、短毛カッタとして形成されたひげそりヘッドの外側カッタに設けられていることを特徴とする請求項１乃至８のいずれか１項に記載の乾式ひげそり装置。
【請求項１０】
前記毛の送り装置（Ｅ）は、長毛カッタとして形成されたひげそりヘッドの外側カッタに設けられていることを特徴とする請求項１乃至８のいずれか１項に記載の乾式ひげそり装置。
【請求項１１】
前記毛の送り装置を備えた長毛カッタユニットとして形成された前記ひげそりヘッドは、短毛カッタユニットとして形成された２つのひげそりヘッドの間に配置されており、前記毛の送り装置（Ｅ）は、短毛カッタユニットの各外側カッタに隣接した長毛カッタユニットの外側カッタに設けられていることを特徴とする請求項１乃至８のいずれか１項に記載の乾式ひげそり装置。
【請求項１２】
前記毛の送り装置（Ｅ）が設けられているひげそりヘッドは、短毛カッタユニットとして構成された少なくとも１つのひげそりヘッドに関して垂直方向に可動であるように配置されていることを特徴とする請求項１１に記載の乾式ひげそり装置。
【発明の詳細な説明】
【０００１】
本発明は、外側カッタと、内側カッタとから成り、係合面を備えた外側カッタは、スロットとブリッジ部材を有する皮膚係合面部と、皮膚係合面部に傾斜した関係で配置された少なくとも１つの側壁部によって形成され、前記係合面を形成する皮膚係合面部に毛の送り装置が設けられており、前記毛の送り装置は、ブリッジ部材のように形成されており、側壁部に対して自由に突出している端部を有する乾式ひげそり装置に関する。
【０００２】
最初に言及したタイプの乾式ひげそり装置は、ドイツ実用新案第８２２７５４６号から公知である。ひげそりヘッドの外側カッタは、くし形切断部材と組み合わされたフォイルスクリーンから成る。くし形切断部材には、切断縁を形成し、フォイルスクリーン部材から離れた端部のくし形切断部材の傾斜側壁部に達するくし形切断部材が設けられており、共通の開口部を形成する傾斜側壁部に少なくとも２つの隣接するスロットを備えている。傾斜側壁部がブリッジ側壁と合併している場合、ブリッジ部材は、傾斜側壁部の前方で終結し、切断縁がくし形せん断部材の内側カッタと協働するために研磨される。
【０００３】
ドイツ特許第１１１１０６２号から、くし形切断部材と組み合わされたフォイルスクリーン部材を有するひげそりヘッドを備えた乾式ひげそり装置は公知である。くし形タイプのひげそり部材は、Ｕ形状の溝によって分離された２つの切断面を有する。切断面は、切断面を支持する傾斜した外皮膚係合面部に達し、共通の開口部を形成する傾斜した側壁に４つの隣接溝を備えている。
【０００４】
米国特許第２１８１０３８号明細書によって、基本的にはＵ形状のせん断プレートとそれに作動的に関連する３角形の内側カッタとを有する乾式ひげそり装置も知られている。
【０００５】
切断部材を提供する目的で、せん断プレートは、平坦な係合面に丸い穴、並びにせん断プレートに対して所定の角度に配置された皮膚係合面部にせん断プレートの長手方向の範囲にわたって横断する方向に延びているスロットを有し、平坦な係合面から２つの側壁部への２つの遷移領域のブリッジ部材は、鋭い縁部を避けるためにアーチ形にふくらんでいる。
【０００６】
英国特許第１３６７４４５号から、２つの平行な短い毛のカッタユニット及び垂直方向に調整可能なようにその間に配置された１つの長い毛のカッタを有する乾式ひげそり装置が知られている。長毛カッタユニットはトリミングを目的として長毛カッタを利用することができるように短毛カッタユニットと平行に延びており、各々が切断くし及び切断刃の２列の鋭い縁部の刃から成るＴ形状から成る。
【０００７】
本発明の目的は、内外カッタによって形成された切断領域に毛の最適な送りを保証するために最初に言及したタイプの乾式ひげそり装置のひげそりヘッドを改良することである。
【０００８】
本発明によればこの目的は、自由に突出している端部が側壁部の外側の輪郭を越えて突出しており、係合面を形成する皮膚係合面部と同一平面上にあることによって達成される。本発明によって得られる基本的な利点は、ブリッジ型毛の送り装置の自由な突出端が、くし構造を有する外側カッタを形成することであり、この構造は、切断領域の前方に配置され、その自由に突出するくしの端部は毛を梳く作用を行い、剃るべき毛を捕捉し、それらを外側及び内側のカッタによって形成される切断領域に送る最適な方法を提供する。ひげそりヘッドが皮膚面を移動するとき、切断面の前方に配置された毛の送り機構は、皮膚に対して平坦に乗っている毛だけではなく、もつれるように皮膚から延びている毛を捕捉し、それを切断領域に送ることができる。
【０００９】
本発明のさらに他の特徴において、毛の送り機構は、外側カッタの係合面を形成するブリッジ部材の正接方向の延長部によって形成される。従って、毛の送り装置は、外側カッタが製造される材料の部分を形成する。本発明の外側カッタは、スタンプ加工及びプレス加工することによって製造され、それによってＵまたはカップ形状の形態が得られると同時に、外側カッタのブリッジ部材が形成され、このブリッジ部材は、毛の送り機構並びに切断縁を提供する。この毛の送り装置の製造は、追加的な材料の浪費及び時間を必要としない。
【００１０】
毛を最適に案内して入れることは、毛の送り装置を提供することを目的として、係合面を形成する皮膚係合面部の全部のブリッジ部材が、皮膚係合面部に傾斜した関係で配置された側壁部の輪郭を越えて突出するように延びている本発明によって得ることができる。
【００１１】
外側カッタの安定性を向上する本発明の１つの実施例によれば、係合面を形成する皮膚係合面部の選択されたブリッジ部材は、少なくとも１つの側壁部に関して突出する関係で構成された自由端を有すると共に短いブリッジ部材の間に設けられた長いブリッジ部材を備えた皮膚係合面部の構成部分から形成される。例えば、この実施例は、外側カッタ係合面の厚さを外側カッタの必要な安定性に従って薄くすることができ、その結果、皮膚にさらに接近している毛を切断することができる。本発明の他の実施例は、毛の送り装置を突出させることによって大きくなる外側の切断係合面がほぼ平坦な形状であることを特徴とする。
【００１２】
本発明によって、少なくとも皮膚に接触するブリッジ部材の縁部並びに毛の送り装置の縁部が丸い形状であることによって、特に皮膚に優しいように、切断領域に毛を案内して入れることが保証される。
【００１３】
本発明の特に利点のある実施例において、外側カッタは、Ｕ形状であり、係合面を形成している皮膚係合面部のブリッジ部材の構成部分としての毛の送り装置が毛の送り装置に対して傾斜して配置された少なくとも１つの側壁部の外側の輪郭に関して突出するように設けられる。
【００１４】
本発明の他の実施例において、外側のカッタはカップ形状であり、係合面を形成している皮膚係合面部のブリッジ部材の構成部分としての毛の送り装置が環状皮膚係合面部及び／または他の環状皮膚係合面部の外側の輪郭に対して突出するように設けられる。外側カッタの安定性を向上させる本発明の他の実施例は、スロットによって形成された係合面のブリッジ部材がブリッジ部材を接続することによって相互に接続されていることを特徴とする。
【００１５】
他の基本的な利点は、本発明の適用の種々の分野から明らかである。本発明の実施例において、毛の送り装置は、短い毛のカッタユニットとして形成されたひげそりヘッドの外側カッタに設けられる。このタイプの外側カッタは、毛の送り装置の形成においてスロットによって形成され本発明によって利用される切断縁を有するカップ形状の構成である。
【００１６】
本発明の他の実施例において、毛の送り装置は、長い毛のカッタユニットとして構成されたひげそりヘッドの外側カッタに設けられる。このタイプの外側カッタは、Ｕ形状であり、スロットによって形成されると共に毛の送り装置の形成において本発明によって使用される切断縁を有する。
【００１７】
本発明の好ましい実施例において、毛の送り装置を備えた長毛カッタとして形成されたひげそりヘッドは、短毛カッタユニットとして形成された２つのひげそりヘッドの間に配置され、毛の送り装置は、短毛カッタユニットの各外側カッタに隣接した長毛カッタの外側カッタに設けられている。この実施例は、非常に有利である。なぜならば、短毛カッタユニットの各外側カッタに隣接した長毛カッタユニットの外側カッタに設けられた毛の送り装置は、長毛カッタの切断領域に長毛を送って切断動作を行うためにひげをそる皮膚上をひげそりヘッドを移動させる方向に依存して交互に作動するからである。長毛を切断した後、ひげそりヘッドが皮膚上を移動し続けると、残りの長毛は、さらに短くそるために隣接する短毛カッタユニットの各切断領域に送られる。
【００１８】
本発明の他の実施例において、毛の送り装置を備えたひげそりヘッドは、短毛カッタユニットとして形成された少なくとも１つのひげそりヘッドに対して垂直方向に動くことができるように配置されている。
【００１９】
本発明の好ましい実施例は、添付図面を参照して次の詳細な説明においてさらに詳細に説明する。
【００２０】
電気的な乾式ひげそり装置を示す図１において、符号１は、ハウジング、符号２はオンオフスイッチ、３は切断刃を備えた長毛トリマユニット、符号６及び７は、ハウジングの小さい端壁４及び５の延長部を形成する支持ラグ、ＲＫは、軸線ｘ−ｘの周りで旋回するように支持ラグ６，７に取り付けられているひげそりヘッド組立体を示す。
【００２１】
ひげそりヘッド組立体ＲＫは、互いに平行に伸びている３つのひげそりヘッドを組み込んでおり、その内の２つの外側のひげそりヘッド８及び１０は、短毛カッタユニットとして構成され、ひげそりヘッド８及び１０の間に配置されたひげそりヘッド９は長毛カッタユニットとして形成されている。短毛カッタユニットを形成するひげそりヘッド８及び１０の外側カッタ１１及び１３は、ひげそりヘッドフレーム１４に着脱可能に配置された交換可能なフレーム１５に固定されている。図２及び図２ａを参照して説明するように、ひげそりヘッド９の外側カッタ１２は、外側カッタ１２と、内側カッタ１８と、圧力ばね１９と、駆動の動きを伝達するための接続部材２０から成る組立体の一部を形成する。長毛カッタユニットのひげそりヘッド９の形成において、この組み立ては、動かないかまたは垂直方向に可動な方法のいずれかの方法で交換可能なフレームの端壁１６及び１７に取り付けられている。
【００２２】
他の実施例において、ひげそりヘッド９の外側カッタ１２は、交換可能なフレーム１５の端壁１６及び１７またはひげそりヘッドを支持するひげそりヘッドフレームに直接動かないように固定するか、または別の案として垂直方向（矢印Ａの方向参照）に相対的に動くことができるように配置されている。このような実施例において、切断動作に必要な内側カッタ１８は、接続部材２０によって電気乾式ひげそり装置の駆動機構に結合されるか、または圧縮ばね１９によって外側カッタ１２に係合されるように押される。
【００２３】
図１のひげそりヘッドフレーム１４から分離された状態の交換可能なフレーム１５の詳細は、図１ａに示し、次にさらに詳細に説明する。アーチ形に取り付けられ、短毛を切断する外側カッタ１１及び１３を提供するひげそりフォイルは、端壁１６，１７の間に設けられた、交換可能なフレーム１５の長手方向に伸びる側壁２１及び２２並びにリブ部材に取り付けられている。長毛を切断するために設けられたひげそりヘッド９のＵ形状の外側カッタ１２は端壁１６及び１７に矢印Ａの方向に垂直方向に可動に取り付けられている。この実施例において、外側カッタはシート金属部分であり、この部分に外側カッタ１２の長手方向に延びており、複数のスロット２３と他のスロット２４がスタンプ加工によって形成されており、その間にブリッジ部材２５，２６，２７，２８が形成されている。シート金属は、プレス加工を適用することによって、外側カッタ１２の長手方向の軸線を横断するように延びているブリッジ部材２５，２６が、皮膚係合面部３０に対して所定の角度を有する関係で延びている２つの側壁部２９及び３１の外側輪郭を越えて突出するようにＵ形状にプレス加工される（図２ａ参照）。側壁部２９．３１に対して突出しているブリッジ部材２５．２６の部分は、毛の送り装置Ｅとして作用し、毛を外側カッタ１２の切断領域に送る。
【００２４】
さらに、図２に示す実施例において、スロット２３及び２４の相対的な構成及び形状は、ブリッジ部材２７を横断する方向に延びると共に外側カッタ１２のＵ形状に適合するような形状のいくつかの他のブリッジ部材２８を形成することに加えて、皮膚係合面部３０に、外側カッタの長手方向に延びるブリッジ部材２７が形成されるようになっている。形成されるブリッジ部材２８の数は、特別の適用において必要とされる外側カッタの安定性に依存し、従って図２に示す数には制限されない。図２に示す実施例において、２つのブリッジ部材２８の間においてブリッジ部材２７の各側には４つのブリッジ部材２５及び２６が設けられており、その各々は、圧縮ばね１９の作動によって外側カッタ１２に係合する振動内側カッタ１８の領域で切断作用を実行し、毛の送り装置Ｅの作用によって、外側カッタ１３が皮膚面を移動するとき、側壁部２９及び３１に対して突出する端部との毛係合作用を実行する。皮膚への刺激を避けるために皮膚に接触するブリッジ部材２５乃至２８の縁部、特にブリッジ部材２５及び２６によって形成された毛の送り装置の縁部は丸い。２つのブリッジ部材２８の間のブリッジ部材２５，２６の数は可変であり、外側カッタ１２の必要な安定性のために許容性を有する。ブリッジ部材２５及び２６の毛の送り装置Ｅによって実行される毛の送り動作との組み合わせにおいて、各ブリッジ部材２８によって側壁部２９及び３１に形成されたスロット２４は、長毛カッタユニットとして構成されたひげそりヘッド９の切断領域に容易に長毛が入ることができるようにする。
【００２５】
図２のひげそりヘッド９を完全なユニットに組み立てるために、圧縮ばね１９は接続部材２０に結合される。内側カッタ１８は、ピン３４によって接続部材２０に固定され、Ｕ形状の外側カッタ１２の内側に導入される。圧力ばねに当接して係合され、この特定のばねの支持作用を行う２つの取付部材３２，３３によって、内側カッタ１８、圧縮ばね１９及び接続部材２０は、外側カッタと組み合わせられて、溶接等によって外側カッタ１２の側壁部２９及び３１にしっかりと固定された取付部材３２，３３を貫通するピン３５乃至３８によって一緒に保持された組立体を形成する。完全なひげそりヘッドを形成するために予め組み立てられたこのユニットは、交換可能な端壁１６及び１７に取り付けられるか、または矢印Ａの方向に垂直方向に可動なように取り付けられる。
【００２６】
これらのひげそりヘッド８及び１０の間に配置され、長毛カッタユニットとして構成された図２のひげそりヘッド９と、短毛カッタユニットとして構成された図１及び図１ａの２つのひげそりヘッド８及び１０との組み合わされた構成によって、特にひげそりヘッド組立体ＲＫが矢印Ｂの方向に移動するとき、長毛が皮膚を刺激することなく、ひげそりヘッドの切断領域に送られ、その直後に、隣接するひげそりヘッド８または１０によって短毛の切断が行われる。交換可能なフレーム１５またはひげそりヘッドフレーム（図示せず）のひげそりヘッドの可動な軸受構造によって、長毛の捕捉、入口への案内、切断及び短毛の切断の双方を向上する皮膚へのいわゆるボウウエーブ効果を達成することができる。
【００２７】
図３は、皮膚係合面部の輪郭を越えて突出し、ブリッジ部材２５，２６の部分を形成する毛の送り装置Ｅを備えた外側カッタ１２の他の実施例を示す。Ｌ形状のブリッジ部材２５，２６並びにＵ形状のブリッジ部材２８は、皮膚係合面部３０、及び側壁部２９、３１を完全に通過するスロット２３及び２４を設けることによって形成される皮膚係合面部３０、側壁部２９、３１の一部分である。矢印Ｂによって示されるいずれかの方向に動く場合にも、長毛を確実に入口に案内するために、丸い毛の送り装置Ｅを有するブリッジ部材２５は、毛の送り装置Ｅを有するブリッジ部材２６に対向する関係で外側カッタ１２に配置される。ブリッジ部材２５及び２８または皮膚係合面部３０の各部品の上側はこのような外側カッタ１２を備えたひげそりヘッド９の皮膚係合面を表す。
【００２８】
図４は、側壁部２９，３１の輪郭を越えて突出し、ブリッジ部材２５，２６の部分を形成する毛の送り装置Ｅを備えた外側カッタ１２の他の実施例を示す。ブリッジ部材２５，２６及び２８の整合及び構成は、基本的には毛の送り切断作用を実行するブリッジ部材２５，２６及び２８が外側カッタ１２の長手方向に延びているブリッジ部材２７によって互いに接続されていることを除いて図３の実施例に対応している。ブリッジ部材２７は、Ｕ形状の輪郭に安定性を付加する。図５はＵ形状の外側カッタの他の実施例を示す。この実施例において、図４の実施例とは異なり、ブリッジ部材２５，２６，２８は、外側カッタ１２の長手方向に斜めに伸びているブリッジ部材によって相互に接続されている。
図６は、Ｕ形状の外側のカッタ１２の他の実施例を示しており、この実施例において、毛の送り作用及び切断作用を行うブリッジ部材２５，２６のくし形状は、ブリッジ部材２７から成る連続的なブリッジ部材がその各側に外側カッタ１２の長手方向を横断する方向に毛の送り装置Ｅを備え、Ｕ形状の輪郭を越えて突出しているブリッジ部材２５，２６を有するように構成されている。外側カッタ１２のＵ形状の輪郭に適応する各２つのブリッジ部材２８の間に設けられるべきブリッジ部材２５，２６の数は、図６に示したように３つの平行なブリッジ部材２５，２６には制限されない。
【００２９】
図７は、各外側カッタ１１及び内側カッタ１８を有する３つのひげそりヘッドを備えたひげそり装置を示している。ひげそりヘッド８の外側カッタ１１は、カップ形状の構造であり（図８乃至図１１参照）、平坦な皮膚係合面部３０と、それに所定の角度を有するように配置された円形のリング形状の側壁部３１とを有する。円形のリング形状の切断領域を形成するために、皮膚係合面部３０は、その中心にカップ形状の凹部３９を有し、その凹部３９は、側壁部２９及び平板部４０によって形成されている。切断作用を実行するこのブリッジ部材２５、２６、２８は、円形リング形状の切断領域の皮膚係合面部３０を完全に通過し、ある角度で配置された円形のリング形状の側壁部３１の一部を通過する複数のスロット２３によって形成されている。毛の案内入口について毛の送り装置Ｅとして作用する突出部分を備えた、側壁部３１に対して突出しているブリッジ部材２６（図９参照）及び側壁部２９に対して突出しているブリッジ部材２５を得るために、まず、ブリッジ部材２６の各側に設けられた少なくとも２つのスロット２３が側壁部３１に設けられたスロット２４によって相互に接続され（図９参照）、ブリッジ部材２５の各側に設けられた少なくとも２つのスロット２３が側壁部２９に設けられたスロット２４によって相互に接続される。次にブリッジ部材２６に設けられた側壁部３１の壁部分とブリッジ部材２５に設けられた側壁部２９がプレス加工によって外側カッタ１１の皮膚係合面部３０を有する平面から押し込まれる。
【００３０】
図９の実施例は、ブリッジ部材２６及び２８の組み合わせを示しており、この組み合わせにおいて、ブリッジ部材２６の構成部分としての毛の送り装置Ｅは、側壁部に対して突出して配置されており、ブリッジ部材２８は、皮膚係合面部３０，側壁部２９、３１によって形成されている。各２つのブリッジ部材２８の間に設けられた毛の送り装置Ｅを有するブリッジ部材２６の数は、自由に選択することができる。
【００３１】
図１０及び図１１の実施例は、ブリッジ部材２５，２６及び２８の組み合わせを表す。毛の送り装置Ｅを有するブリッジ部材２５及び２６は、側壁部３１及び２９に対して突出している構造を有し、その結果、外側カッタ１１及びそれと作動的に関連する内側カッタ１８のブリッジ部材２５，２６によって形成された切断領域に長毛及び短毛の双方を送るために、皮膚面上のひげそりヘッド８の動きの方向に依存して、ひげそり中に交互に使用される。皮膚係合面部３０、側壁部２９、３１によって形成されたブリッジ部材２８は、外側カッタ１１に必要とされる安定性を提供する。２つのブリッジ部材２８の各々の間に設けられた毛の送り装置Ｅを備えたブリッジ部材２５及び２６の数及び構成のタイプは、図１１に示した実施例には制限されないことを理解すべきである。一例として図２，図３，図４，図５及び図６に示した実施例は、図７及び図８によって製造されたひげそり装置に使用される外側カッタ１１に等しく適用可能である。
【図面の簡単な説明】
【図１】  ３つのひげそりヘッドを有する乾式ひげそり装置の部分の斜視図。
【図１ａ】  異なる構造に構成された外側カッタを有する交換可能なフレーム構造の斜視図。
【図２】  長毛カッタユニットとして構成されるひげそりヘッド部品の分解図。
【図２ａ】  毛の送り装置を備えた外側カッタのＵ形状の輪郭の断面図。
【図３】  毛の送り装置を備えたＵ形状の外側カッタの部分斜視図。
【図４】  毛の送り装置を備えたＵ形状の外側カッタの部分斜視図。
【図５】  毛の送り装置を備えたＵ形状の外側カッタの部分斜視図。
【図６】  毛の送り装置を備えたＵ形状の外側カッタの部分斜視図。
【図７】  毛の送り装置を備えた３つの円形リング形状の外側カッタを有するひげそり装置の側面図。
【図８】  ひげそりヘッド並びに図７のひげそり装置の毛の送り装置を備えたカップ形状の外側カッタの部分断面図。
【図９】  毛の送り装置を備えたカップ形状の外側カッタの断面図。
【図１０】  毛の送り装置を備えたカップ形状の断面図。
【図１１】  図１０のカップ形状の外側カッタの上側の平面図。
【図１】
0003727336.tif 000002
【図１ａ】
0003727336.tif 000003
【図２ａ】
0003727336.tif 000004
【図２】
0003727336.tif 000005
【図３】
0003727336.tif 000006
【図４】
0003727336.tif 000007
【図５】
0003727336.tif 000008
【図６】
0003727336.tif 000009
【図７】
0003727336.tif 000010
【図８】
0003727336.tif 000011
【図９】
0003727336.tif 000012
【図１０】
0003727336.tif 000013
【図１１】
0003727336.tif 000014